【事件の表示】
　特許第６３５５２９６号発明「皮膚外用剤組成物」の特許異議申立事件について、次のとおり決定する。
【結　論】
　特許第６３５５２９６号の特許請求の範囲を訂正請求書に添付された特許請求の範囲のとおり訂正後の請求項〔１−４〕について訂正することを認める。 
　特許第６３５５２９６号の請求項１ないし４に係る特許を維持する。
【理　由】
第１　手続の経緯
　特許第６３５５２９６号の請求項１ないし４に係る特許（以下、「本件特許」ということがある。）についての出願は、平成２５年４月９日に出願され、平成３０年６月２２日にその特許権の設定登録がされ、同年７月１１日に特許掲載公報が発行された。その後の手続は以下のとおりである。
　平成３１年　１月１１日　　特許異議申立人　山下　桂（以下、「申立人　　　　　　　　　　　　　　」という。）より特許異議の申立て
　平成３１年　２月２５日　　取消理由通知
　令和　１年　５月　７日　　特許権者より意見書の提出及び訂正の請求
　　　同年　　５月２７日　　特許権者より訂正請求書の手続補正書（方式　　　　　　　　　　　　　　）の提出
　　　同年　　７月　３日　　申立人より意見書の提出
第２　訂正請求について
１　訂正請求の趣旨及び訂正の内容
　令和１年５月２７日付けの手続補正書によって補正された同年５月７日付け訂正請求書により特許権者が請求する訂正は、本件特許の特許請求の範囲を訂正請求書に添付した訂正特許請求の範囲のとおり、訂正後の請求項１〜４について訂正することを求めるものである。
　その請求の内容は、請求項１〜４からなる一群の請求項に係る訂正であって、以下のとおりのものである。
（１）訂正事項１
　特許請求の範囲中、請求項１の柱書末尾の「（但し、下記（ａ）、（ｄ）、（ｅ）のいずれか１以上の成分を含有するものを除く）」の記載を、「（但し、下記（ａ）、（ｄ）、（ｅ）のいずれか１以上の成分を含有するものを除き、更に下記（ｆ）に該当する場合を除く）」と訂正すると共に、
　請求項１の末尾の「（ｅ）カルニチン、その誘導体及びそれらの塩より選択される１種以上」の記載の次に、「（ｆ）上記（Ｂ）成分以外のエステル油であって上記（Ｃ）成分以外のものを含有し、これと上記（Ｃ）成分との合計含有量が１０質量％を超える場合」の記載を追加する訂正を行う。
（２）訂正事項２
　特許請求の範囲中、請求項１に「（Ａ）常温で固体の高級アルコールの１種以上　２〜１５質量％」とある記載を、「（Ａ）常温で固体の高級アルコールの１種以上　６〜１５質量％」と訂正する。
２　訂正の適否
（１）訂正事項１について 
（ア）訂正の目的 
　訂正事項１は、訂正前の請求項１の皮膚外用剤組成物から除外される態様として、新たに（ｆ）項を除外事項として追加する訂正であるから、特許請求の範囲の減縮に該当する。
　請求項１を引用する請求項２〜４も、当該訂正により、同様に除外事項が増えるものであるから、特許請求の範囲を減縮しようとするものである。
　したがって、訂正事項１に係る訂正は、特許法第１２０条の５第２項ただし書第１号に掲げる「特許請求の範囲の減縮」を目的とするものである。
  
（イ）新規事項の追加の有無 
　訂正事項１は、訂正前の請求項１の皮膚外用剤組成物から、「（ｆ）上記（Ｂ）成分以外のエステル油であって上記（Ｃ）成分以外のものを含有し、これと上記（Ｃ）成分との合計含有量が１０質量％を超える場合」を除外する訂正であるが、願書に添付した明細書の【００４５】には、「（Ｃ）成分は上記（Ｂ）成分以外のエステル油の１種以上である」との記載があり、同明細書の【００４８】には、「（Ｃ）成分の含有量が０．５〜１０質量％の範囲を外れると、水中油滴型液晶構造の形成と安定性に支障を来たす他、皮膚外用剤組成物の良好な塗布感を確保できない。」との記載があって、要するに願書に添付した明細書には、（Ｂ）成分以外のエステル油の合計含有量が１０質量％を超えると不具合が生じることが記載されているから、当該願書に添付した明細書に記載の「（Ｂ）成分以外のエステル油」を意味する、「上記（Ｂ）成分以外のエステル油であって上記（Ｃ）成分以外のものと、上記（Ｃ）成分との合計」（（Ｃ）成分以外の「（Ｂ）成分以外のエステル油」と（Ｃ）成分を足し合わせているので、（Ｃ）成分が差し引きゼロとなり、結局「（Ｂ）成分以外のエステル油」を意味する）の含有量が１０質量％を超える場合を除外するこの訂正は、願書に添付した明細書から導き出される事項である。
　なお、上記【００４８】の「（Ｃ）成分の含有量が０．５〜１０質量％の範囲」について、（ｆ）項では「・・・合計含有量が１０質量％を超える場合」を規定するが、「・・・合計含有量が０．５重量％未満である場合」は規定していないが、これは、請求項１における（Ｃ）成分の含有量の下限値が０．５質量％であって、「（Ｂ）成分以外のエステル油であって上記（Ｃ）成分以外のものを含有し、これと上記（Ｃ）成分との合計含有量が０．５質量％未満」の態様を採ることがなく、除外をする必要がないからである。
　したがって、訂正事項１に係る訂正は、本件特許の願書に添付した明細書、特許請求の範囲又は図面に記載した事項の範囲内の訂正であり、特許法第１２０条の５第９項において準用する同法第１２６条第５項の規定に適合するものである。
  
（ウ）特許請求の範囲の実質拡張・変更の有無 
　訂正事項１は、皮膚外用剤組成物に含まれる成分の含有量の範囲をより限定するものであり、カテゴリーや対象、目的を変更するものではないから、実質上特許請求の範囲を拡張し、又は変更するものではない。
　したがって、訂正事項１に係る訂正は、特許法第１２０条の５第９項において準用する同法第１２６条第６項の規定に適合するものである。
（２）訂正事項２について 
（ア）訂正の目的 
　訂正事項２は、訂正前の請求項１における「（Ａ）常温で固体の高級アルコールの１種以上　２〜１５質量％」とある記載を、「（Ａ）常温で固体の高級アルコールの１種以上　６〜１５質量％」と訂正することにより、（Ａ）成分の含有量の範囲をより限定するものであるから、特許請求の範囲を減縮しようとするものである。
　請求項１を引用する請求項２〜４も、当該訂正により、当該（Ａ）成分の含有量をより限定するものであるから、特許請求の範囲を減縮しようとするものである。
　したがって、訂正事項２に係る訂正は、特許法第１２０条の５第２項ただし書第１号に掲げる「特許請求の範囲の減縮」を目的とするものである。
  
（イ）新規事項の追加の有無 
　訂正事項２は、訂正前の請求項１における「（Ａ）常温で固体の高級アルコールの１種以上　２〜１５質量％」とある記載を、「（Ａ）常温で固体の高級アルコールの１種以上　６〜１５質量％」と訂正するものであるが、願書に添付した明細書の表１〜表６に記載する実施例１〜実施例４３の内、実施例１、３、４、３１、３３を除く３８の実施例で、（Ａ）成分の含有量が６〜１５質量％の範囲内であり、特に実施例５、１０〜１２、１７〜１９、２６〜３０の１２例の実施例の（Ａ）成分の含有量が６質量％であるから、皮膚外用剤組成物における（Ａ）成分の含有量として、「６質量％」をその下限値として読み取ることができるものである。
　そうすると、（Ａ）成分の含有割合を「２〜１５質量％」から「６〜１５質量％」と訂正する訂正事項２に係る訂正は、本件特許の願書に添付した明細書、特許請求の範囲又は図面に記載した事項の範囲内の訂正であり、特許法第１２０条の５第９項において準用する同法第１２６条第５項の規定に適合するものである。
  
（ウ）特許請求の範囲の実質拡張・変更の有無 
　訂正事項２は、（Ａ）成分の含有量という発明特定事項の範囲をより限定するものであり、カテゴリーや対象、目的を変更するものではないから、実質上特許請求の範囲を拡張し、又は変更するものではない。
　したがって、訂正事項２に係る訂正は、特許法第１２０条の５第９項において準用する同法第１２６条第６項の規定に適合するものである。
（３）訂正請求についての結論
　以上のとおり、本件訂正請求による訂正は、特許法第１２０条の５第２項第１号に掲げる事項を目的とするものであり、かつ、同条第９項において準用する同法第１２６条第５項及び第６項の規定に適合する。
　したがって、特許請求の範囲を、訂正請求書に添付された特許請求の範囲のとおり、訂正後の請求項〔１−４〕について訂正することを認める。 
 　
第３　本件特許発明
　特許第６３５５２９６号の請求項１〜４の特許に係る発明は、訂正請求書に添付された訂正特許請求の範囲の請求項１〜４に記載された事項により特定される、次のとおりのものである（以下、特許第６３５５２９６号の請求項１〜４の特許に係る発明を、その請求項に付された番号順に、「本件特許発明１」等ということがある。また、これらをまとめて「本件特許発明」ということがある。）。
「【請求項１】　下記（Ａ）成分〜（Ｃ）成分を必須成分として構成される、油滴が球状液晶である水中油滴型液晶構造を含むことを特徴とする皮膚外用剤組成物（但し、下記（ａ）、（ｄ）、（ｅ）のいずれか１以上の成分を含有するものを除き、更に下記（ｆ）に該当する場合を除く）。
　（Ａ）常温で固体の高級アルコールの１種以上  ６〜１５質量％
　（Ｂ）グリセリン脂肪酸エステルの１種以上  ０．１〜５質量％
　（Ｃ）直鎖脂肪酸と高級アルコールのエステル及びバチルアルコールの脂肪酸エステルから選ばれる１種以上  ０．５〜１０質量％
　（ａ）ミツロウ
　（ｄ）ポリビニルアルコール
　（ｅ）カルニチン、その誘導体及びそれらの塩より選択される１種以上
　（ｆ）上記（Ｂ）成分以外のエステル油であって上記（Ｃ）成分以外のものを含有し、これと上記（Ｃ）成分との合計含有量が１０質量％を超える場合
【請求項２】　前記（Ｂ）成分の含有量に対する前記（Ａ）成分と（Ｃ）成分の合計含有量の質量比（（Ａ）+（Ｃ））／（Ｂ）が２〜３０の範囲内であることを特徴とする請求項１に記載の皮膚外用剤組成物。
【請求項３】　前記（Ｃ）成分がミリスチン酸ミリスチル、パルミチン酸セチル、ステアリン酸バチル及びミリスチン酸オクチルドデシルから選ばれる１種以上であることを特徴とする請求項１又は請求項２に記載の皮膚外用剤組成物。
【請求項４】　前記皮膚外用剤組成物が、更に水溶性高分子の１種以上を含有することを特徴とする請求項１〜請求項３のいずれかに記載の皮膚外用剤組成物。」
第４　取消理由通知に記載した取消理由について 
１　取消理由の要旨
　上記訂正前の本件特許に対して平成３１年　２月２５日付けで通知された取消理由の要旨は以下のとおりである。
（１）取消理由１（新規事項）平成２９年１２月１４日付け手続補正書でした補正は、下記の点で願書に最初に添付した明細書、特許請求の範囲又は図面に記載した事項の範囲内においてしたものではないから、上記訂正前の本件特許は、特許法第１７条の２第３項に規定する要件を満たしていない補正がなされた特許出願に対してなされたものであり、取り消されるべきものである。
（２）取消理由２（新規性）上記訂正前の本件特許の請求項１〜４に係る発明は、その出願前に日本国内又は外国において頒布された又は電気通信回線を通じて公衆に利用可能となった下記２に示す甲第１号証、甲第２号証、甲第３号証及び甲第４号証に記載された発明であるから、特許法第２９条第１項第３号に該当し、特許を受けることができないものであり、その発明に係る特許は取り消されるべきものである。
２　取消理由通知で引用した証拠
・甲第１号証　国際公開第０２／１９９７３号（以下、「甲１」という。） 
・甲第２号証　特開２０１０−１８５３６号公報（以下、「甲２」という。） 
・甲第３号証　国際公開第２００７／１２２８２２号（以下、「甲３」という。） 
・甲第４号証　特開２００５−６０２３０号公報（以下、「甲４」という。）
３　取消理由通知で引用した証拠の記載事項
　甲１〜甲４には、それぞれ以下の記載がある。甲１は外国語であるため、日本語訳文を記載する。
（１）甲１ 
（１−１）（ｐ．２６第１〜２５行） 
「【特許請求の範囲】 
【請求項１】 
（Ｉ）調製物の総重量に基づいて１〜５重量％の１種もしくは複数の中和または一部中和されたＣ１４−Ｃ３２−脂肪酸、 
（ＩＩ）ここで、中和または一部中和された形態の６．０〜８．０の調製物のｐＨ範囲に対応して、水酸化ナトリウムおよび／または水酸化カリウムが中和塩基として選択され、 
（ＩＩＩ）ここで、アルキル化アンモニウム塩基の含量が０．０１重量％未満であるように選択され、 
（ＩＶ）調製物の総重量に基づいて０．１〜１．５重量％の、グリセロールおよび／またはプロピレングリコールおよび／またはグリコールの、１種もしくは複数のモノ−および／もしくはジエステル、 
（Ｖ）調製物の総重量に基づいて０．５〜３重量％の、１２〜４０炭素原子を有する分枝および非分枝アルキルアルコールの群から選択される、１種もしくは複数の脂肪アルコール、 
（ＶＩ）調製物の総重量に基づいて１〜９重量％の、 
（ａ）３０℃より低い融点をもつ１種もしくは複数の脂質、 
（ｂ）３０℃より高い融点をもつ１種もしくは複数の脂質、 
から成る脂質相、 
（ＶＩＩ）ここで、（ａ）と（ｂ）の比率が２：１から６：１の範囲にあり、 
（ＶＩＩＩ）ここで、（ａ）に従う脂質が調製物の総重量に基づいて０〜５％のシリコーン油を含んで成り、 
（ＩＸ）ここで、脂質（ａ）：シリコーン油（ＶＩＩＩ）の比率が好ましくは、５：１から１：２の範囲にある、 
を含んで成る、Ｏ／Ｗエマルション形態の化粧品または皮膚科学的調製物。」 
  
（１−２）（ｐ．１第４〜８行） 
「本発明は化粧品および皮膚科学的エマルション、とりわけ皮膚手入れ用化粧品および皮膚科学的エマルションに関する。有利な態様において、本発明は脂肪酸を含有する調製物、とりわけエマルション、好ましくは、Ｏ／Ｗエマルションの安定性を増加させる適用に関する。」 
  
（１−３）（ｐ．２０第１〜１５行） 
「実施例１（Ｏ／Ｗクリーム） 
　　　　　　　　　　　　重量％ 
ステアリン酸　　　　　　３．００ 
セチルアルコール　　　　２．５０ 
ステアリン酸グリセリル　１．００ 
オクチルドデカノール　　３．００ 
シクロメチコン　　　　　１．００ 
ミリスチン酸ミリスチル　２．００ 
グリセロール　　　　　　５．００ 
カーボマー　　　　　　　０．１０ 
水酸化ナトリウム　　　　適量 
保存剤　　　　　　　　　適量 
香料　　　　　　　　　　適量 
水、脱ミネラル　　　　全１００．００ 
ｐＨ６．０〜８．０に調整」 
  
（１−４）（ｐ．２２第１〜末行） 
「実施例４（Ｏ／Ｗエマルションメークアップ） 
　　　　　　　　　　　　　重量％ 
ステアリン酸　　　　　　　１．００ 
セチルアルコール　　　　　２．００ 
ステアリン酸グリコール　　０．５０ 
ステアリン酸グリセリル　　０．２５ 
イソノナン酸セテアリル　　２．００ 
パルミチン酸イソプロピル　１．００ 
ジメチコン　　　　　　　　０．６０ 
パルミチン酸セチル　　　　０．７０ 
グリセロール　　　　　　　３．００ 
カーボマー　　　　　　　　０．１５ 
雲母　　　　　　　　　　　１．００ 
ケイ酸マグネシウム　　　　１．００ 
酸化鉄　　　　　　　　　　１．００ 
二酸化チタン　　　　　　　２．５０ 
タルク　　　　　　　　　　５．００ 
パルミチン酸ビタミンＡ　　０．１０ 
水酸化ナトリウム　　　　　適量 
保存剤　　　　　　　　　　適量 
香料　　　　　　　　　　　適量 
水、脱ミネラル　　　　　全１００．００ 
ｐＨ６．０〜８．０に調整」 
  
（１−５）（ｐ．２４第１〜末行） 
「実施例６（Ｏ／Ｗローション） 
　　　　　　　　　　　　　　　　　　　重量％ 
ステアリン酸　　　　　　　　　　　　　２．００ 
セチルステアリルアルコール　　　　　　２．００ 
ステアリン酸グリコール　　　　　　　　０．３０ 
ステアリン酸グリセリル　　　　　　　　０．３０ 
カプリル酸／カプリン酸トリグリセリド　１．００ 
エチルヘキサン酸セチルステアリル　　　１．００ 
ジメチコン　　　　　　　　　　　　　　４．００ 
ミリスチン酸ミリスチル　　　　　　　　１．００ 
酢酸ビタミンＥ　　　　　　　　　　　　２．００ 
カーボマーナトリウム　　　　　　　　　０．１０ 
グリセロール　　　　　　　　　　　　　３．００ 
香料、保存剤、染料、等　　　　　　　　適量 
水酸化ナトリウム　　　　　　　　　　　適量 
水、ｐＨ６．０〜７．５に調整　　　　全１００．００」 
  
（１−６）（ｐ．２５第１〜末行） 
「実施例７（日焼け止めクリーム） 
　　　　　　　　　　　　　　　　重量％ 
ステアリン酸　　　　　　　　　　３．５０ 
セチルアルコール　　　　　　　　１．５０ 
ミリスチルアルコール　　　　　　１．００ 
ステアリン酸グリセリル　　　　　１．００ 
オクチルドデカノール　　　　　　１．００ 
安息香酸Ｃ１２−１５−アルキル　　　 ２．００ 
パラフィン油　　　　　　　　　　０．５０ 
ジメチコン　　　　　　　　　　　１．００ 
パルミチン酸セチル　　　　　　　０．８０ 
キサンタンゴム　　　　　　　　　０．１０ 
カーボマーナトリウム　　　　　　０．１０ 
グリセロール　　　　　　　　　　３．００ 
メトキシケイ皮酸オクチル　　　　４．００ 
ベンゾフェノン−３　　　　　　　３．００ 
サリチル酸オクチル　　　　　　　３．００ 
ＢＨＴ　　　　　　　　　　　　　０．０２ 
Ｎａ２Ｈ２ＥＤＴＡ　　　　　　　　０．１０ 
香料、保存剤、染料　　　　　　　　適量 
水酸化カリウム　　　　　　　　　　適量 
水、ｐＨ６．５〜８．０調整　　　　全１００．００」 
  
（２）甲２ 
（２−１） 
「（【請求項１】 
　化粧料全量に対して、 
（ａ）ビタミンＡおよびその誘導体を０．０１〜４質量％と、 
（ｂ）下記（ｂ−１）〜（ｂ−３）成分からなる非イオン界面活性剤を０．６〜４質量％と、 
　（ｂ−１）トリステアリン酸ソルビタン、 
　（ｂ−２）ポリエチレングリコールの付加モル数が２０〜１２０である、ステアリン酸ポリエチレングリコール、 
　（ｂ−３）ＨＬＢが５〜８のステアリン酸グリセリル、 
（ｃ）炭素原子数が１４〜２４の高級アルコールを１〜１０質量％ 
を含有し、かつ（ｂ）成分に対する（ｂ−１）成分の配合比（質量比）が０．１〜０．８である、水中油型乳化皮膚化粧料。」 
  
（２−２） 
「【０００７】 
　本発明は上記事情に鑑みてなされたもので、ビタミンＡ類を安定に配合し、使用性（肌なじみ、塗布後の効果実感）、基剤の経時安定性（乳化安定性）に優れる水中油型乳化皮膚化粧料を提供することを目的とする。」 
  
（２−３） 
「【実施例】 
【００５９】 
　以下に実施例を挙げて本発明をさらに具体的に説明するが、本発明はこれによってなんら限定されるものではない。なお、配合量は特記しない限りすべて質量％である。 
・・・ 
（比較例１、実施例１〜４） 
・・・ 
【００６６】 
【表１】 
・・・ 
（実施例５〜８、比較例２〜４） 
　下記表２に示す試料を調製し、上記評価方法に従い、酢酸レチノールの安定性、基剤の経時安定性（乳化安定性）、使用性（肌なじみ、塗布後の効果実感）を評価した。結果を表２に示す。 
【００６９】 
【表２】 
・・・ 
【００７１】 
（実施例９〜１１） 
・・・ 
【００７２】 
【表３】 
」 
  
（２−４） 
「【００７４】 
　以下に、さらに処方例を示す。 
【００７５】 
（実施例１２：スキンクリーム） 
　　（配合成分）　　　　　　　　　　　　　　　　　　（質量％） 
（１）酢酸レチノール　　　　　　　　　　　　　　　　　０．２ 
（２）トリステアリン酸ソルビタン　　　　　　　　　　　１．３５ 
（３）ステアリン酸ＰＥＧ４０　　　　　　　　　　　　　０．８１ 
（４）自己乳化型モノステアリン酸グリセリン　　　　　　０．５４ 
（５）ステアリルアルコール　　　　　　　　　　　　　　０．９ 
（６）ベヘニルアルコール　　　　　　　　　　　　　　　３．３ 
（７）テトラ２−エチルヘキサン酸ペンタエリスリット　１５ 
（８）シクロメチコン　　　　　　　　　　　　　　　　　２ 
（９）ミリスチン酸ミリスチル　　　　　　　　　　　　　２ 
（１０）ＢＨＴ　　　　　　　　　　　　　　　　　　　　０．０５ 
（１１）ピロ亜硫酸ナトリウム　　　　　　　　　　　　　０．００３ 
（１２）ダイナマイトグリセリン　　　　　　　　　　　　８ 
（１３）キシリトール　　　　　　　　　　　　　　　　　３ 
（１４）１、３−ブチレングリコール　　　　　　　　　　８ 
（１５）キサンタンガム　　　　　　　　　　　　　　　　０．２ 
（１６）クエン酸ナトリウム　　　　　　　　　　　　　　０．０６ 
（１７）クエン酸　　　　　　　　　　　　　　　　　　　０．０４ 
（１８）エデト酸三ナトリウム　　　　　　　　　　　　　０．０５ 
（１９）フェノキシエタノール　　　　　　　　　　　　　０．５ 
（２０）トラネキサム酸　　　　　　　　　　　　　　　　１ 
（２１）４−メトキシサリチル酸カリウム　　　　　　　　１ 
（２２）水　　　　　　　　　　　　　　　　　　　　　　残余 
（製造方法） 
　（１）〜（１０）を７０℃にて均一に混合溶解した（油相）。一方、（１１）〜（２２）を７０℃にて均一に混合溶解する（水相）。７０℃に保持した水相に油相を添加し、ホモミキサーで乳化する。乳化が終了したら３０℃まで冷却する。」 
  
（３）甲３ 
（３−１） 
「請求の範囲 
［１］下記（Ａ）（Ｂ）（Ｃ）（Ｄ）（Ｅ）の条件を全て満足することを特徴とする水中油型乳化日焼け止め化粧料。 
（Ａ）下記の（Ａ−１）〜（Ａ−３）の三種の界面活性剤を化粧料全量に対して１〜６質量％含有すること 
　（Ａ−１）Ｐ．Ｏ．Ｅのモル数が２０〜１２０のＰ．Ｏ．Ｅステアリン酸エステル 
　（Ａ−２）トリステアリン酸ソルビタン 
　（Ａ−３）ＨＬＢが５〜８のステアリン酸グリセリル 
（Ｂ）下記の室温固体の油溶性紫外線吸収剤を化粧料全量に対して０．０１〜５質量％含有すること 
　ビスエチルヘキシルオキシフェノールメトキシフェニルトリアジン及び／又はｔｅｒｔ−ブチルメトキシベンゾイルメタン 
（Ｃ）下記の室温液体の油溶性紫外線吸収剤を化粧料全量に対して１〜１４質量％含有すること 
　メトキシ桂皮酸エチルヘキシル及び／又はオクトクリレン 
（Ｄ）下記の水溶性紫外線吸収剤を化粧料全量に対して０．１〜５質量％含有すること 
　フェニルベンズイミダゾールスルフォン酸 
（Ｅ）炭素原子数が１４〜２４の高級アルコールを含有すること 
  
［２］下記（１）及び（２）の条件を満足することを特徴とする請求項１記載の水中油型乳化日焼け止め化粧料。 
（１）成分（Ａ−１）（Ａ−２）（Ａ−３）の全量に対して、成分（Ａ−３）の含有量が１０質量％〜７５質量％である。 
（２）成分（Ａ−１）（Ａ−２）（Ａ−３）の全量に対して、成分（Ｅ）の含有量が３０〜９０質量％である。 
  
［３］さらに（Ｆ）下記式（１）で表されるモノエステル油を化粧料全量に対して０．２〜９質量％含有することを特徴とする請求項１又は２記載の水中油型乳化日焼け止め化粧料。 
［化１］ 
Ｒ１ＣＯＯＲ２　　　　　　（１） 
（式中、Ｒ１は炭素原子数５〜１１のアルキル基を示し、Ｒ２は炭素原子数３〜１１のアルキル基を示す） 
  
［４］さらに（Ｇ）下記式（２）で表されるエチレングリコールとプロピレングリコールのランダム共重合体エーテル化合物を化粧料全量に対して０．２〜９質量％含有することを特徴とする上記の水中油型乳化日焼け止め化粧料。 
［化２］ 
ＲＯ−［（ＥＯ）ｍ（ＡＯ）ｎ］−ＯＲ　　　　　　（２） 
（式中、ＡＯは炭素数３〜４のオキシアルキレン基、ＥＯはオキシエチレン基、ｍおよびｎはそれぞれ前記オキシアルキレン基、オキシエチレン基の平均付加モル数で、１≦ｍ≦７０、１≦ｎ≦７０である。炭素数３〜４のオキシアルキレン基とオキシエチレン基の合計に対するオキシエチレン基の割合は５０〜１００重量％である。炭素数３〜４のオキシアルキレン基とオキシエチレン基はランダム状に付加されている。Ｒは、同一もしくは異なってもよく炭素数１〜４の炭化水素基または水素原子であり、Ｒの炭化水素基数に対する水素原子数の割合は０．１５以下である。） 
  
［５］さらに（Ｈ）β−アラニル−Ｌ−ヒスチジン及び／又はその塩を化粧料全量に対して０．１〜４質量％含有し、化粧料のｐＨが８未満であることを特徴とする請求項１、２、３又は４記載の水中油型乳化日焼け止め化粧料。」 
  
（３−２） 
「実施例 
［００６７］＜製法＞ 
　表に示す処方にて７５℃に加熱して、溶解したＷパーツに、８５℃に加熱して融解したＯパーツを混合して乳化した後、Ｐパーツを混合し、３０℃まで急冷する（各成分とパーツの関係は表参照）ことにより水中油型乳化日焼け止めクリームを製造した。そして、下記の評価試験を行った。 
なお、表記載のパーツの欄において、Ｗとは水相成分、Ｏとは油相成分、Ｐとは粉末成分を意味する。 
・・・ 
［００７８］「実施例１、３、４と比較例１−４」 
・・・ 
［００８０］「実施例１、２、５、６と比較例１−５〜１−６」 
 ・・・ 
［００８２］「実施例１、７、８と比較例１−７〜１−８」 
 ・・・ 
［００８４］「実施例１、９、１０と比較例２−１〜２−２」 
・・・ 
［００８６］「実施例１、１１と比較例２−３〜２−４」 
 
・・・ 
［００８８］「実施例１、１２、１３と比較例２−５〜２−６」 
 ・・・ 
［００９０］「実施例１と実施例１４〜１７と比較例３−１〜３−２」 
・・・ 
［００９２］「実施例１と実施例１８〜２１と比較例３−３〜３−４」 
・・・ 
［００９４］「実施例１、実施例２２〜２３、比較例３−５」 
 」 
  
（４）甲４ 
（４−１）　 
「【００４２】 
試験例１ 刺激・使用感試験 
比較例１〜３及び実施例８〜１０を表１に示す処方に従って常法により調整した。３０代女性２０名に比較例１〜３、実施例８〜１０の乳化組成物を１週間連続使用してもらい、皮膚へのチクチク・ピリピリと感じる刺激感、しっとり感、滑らかなすべり感等の使用感を評価してもらい、その評価を以下のように判定した。 
・・・ 
【００４４】 
【表１】 
 
【００４５】 
表１の結果から明らかなように、本発明の乳化組成物である実施例８〜１０のクリームは、皮膚への刺激が十分に改善されており、優れた使用感を有していることが確認された。一方、比較例１は、皮膚への刺激が十分に改善されておらず、滑らかなすべり感が少なく使用感に劣っていた。比較例２（２−エチルへキサン酸イソセチルは、分岐脂肪酸と分岐高級アルコールからなるエステル油である）は、皮膚へ適用したときにチクチク・ピリピリした刺激感があり、しっとり感が少なく使用感が良好でなかった。比較例３（パルミチン酸セチルは、直鎖脂肪酸と直鎖高級アルコールからなるエステル油である）は、皮膚への刺激が十分に改善されておらず、しっとり感・滑らかなすべり感が少なく使用感に劣っていた。」 
４　取消理由通知についての当審の判断
（１）取消理由１（新規事項）について
　上記平成３１年２月２５日付けの取消理由通知では、平成２９年１２月１４日付け手続補正書でした補正が、願書に最初に添付した明細書、特許請求の範囲又は図面に記載した事項の範囲内においてしたものではないから、訂正前の本件特許は、特許法第１７条の２第３項に規定する要件を満たさない旨の取消理由を通知した。その取消理由の内容は概略以下のとおりである。
＜取消理由の内容＞
　「本件特許は、平成２９年１２月１４日付け手続補正書により、請求項１中の「（Ｃ）上記（Ｂ）成分以外のエステル油の１種以上　０．５〜１０質量％」なる記載が「（Ｃ）直鎖脂肪酸と高級アルコールのエステル及びバチルアルコールの脂肪酸エステルから選ばれる１種以上　０．５〜１０質量％」へと補正がされた。この補正により、補正前の（Ｃ）成分に該当する「（Ｂ）成分以外のエステル油」のうち、補正後の『「直鎖脂肪酸と高級アルコールのエステル及びバチルアルコールの脂肪酸エステル」以外の「（Ｂ）成分以外のエステル油」』については、任意の含量で含むものとなった。 
　しかしながら、本件特許の願書に最初に添付した明細書、特許請求の範囲又は図面（以下、「本件特許の願書に最初に添付した明細書等」という）には、 
「【請求項１】 
　下記（Ａ）成分〜（Ｃ）成分を必須成分として構成される水中油滴型液晶構造を含むことを特徴とする皮膚外用剤組成物。 
　（Ａ）常温で固体の高級アルコールの１種以上　２〜１５質量％ 
　（Ｂ）グリセリン脂肪酸エステルの１種以上　０．１〜５質量％ 
　（Ｃ）上記（Ｂ）成分以外のエステル油の１種以上　０．５〜１０質量％」、及び、 
「【００４８】 
　皮膚外用剤組成物における（Ｃ）成分の含有量は０．５〜１０質量％であり、好ましくは２〜５質量％である。（Ｃ）成分の含有量が０．５〜１０質量％の範囲を外れると、水中油滴型液晶構造の形成と安定性に支障を来たす他、皮膚外用剤組成物の良好な塗布感を確保できない。」 
なる記載があり、本件特許の願書に最初に添付した明細書等には、補正前の（Ｃ）成分に該当する「（Ｂ）成分以外のエステル油」の含有量が０．５〜１０質量％の範囲を外れる皮膚外用剤組成物は水中油滴型液晶構造の形成と安定性に支障を来たし、良好な塗布感を確保できず、そのような「（Ｂ）成分以外のエステル油」の含有量が０．５〜１０質量％の範囲を外れる皮膚外用剤組成物は本件特許の願書に最初に添付した明細書等には記載がされていなかったことが認められる。 
　一方、上記補正後の皮膚外用剤組成物については、『「直鎖脂肪酸と高級アルコールのエステル及びバチルアルコールの脂肪酸エステル」以外の「（Ｂ）成分以外のエステル油」』を任意の含量で含むこととなった結果、「（Ｂ）成分以外のエステル油」を１０質量％以上含む皮膚外用剤組成物の態様も包含されるものとなったところ、そのような皮膚外用剤組成物は、本件特許の願書に最初に添付した明細書等に開示された範囲を超えるものであり、新たな技術的事項を導入するものである。」
＜上記取消理由についての合議体の判断＞
　しかしながら、上記「第２　訂正請求について」と「第３　本件特許発明」で述べたとおり、本件特許発明１の皮膚外用剤組成物から（ｆ）項に係る態様を除くことにより、「（Ｂ）成分以外のエステル油」を１０質量％以上含む態様は含まれないものとなったから、この取消理由は、当該訂正がなされたことにより解消した。
　したがって、本件特許発明１〜４に係る特許は、取消理由１によって取り消すべきものではない。
（２）取消理由２（新規性）について
（２−甲１）甲１発明に基づく新規性について 
（ア）甲１発明の認定 
　上記記載事項（１−１）〜（１−６）の、特に実施例１、４、６及び７の記載より、甲１には、以下の発明が記載されていると認められる。なお、「重量％」と「質量％」は、地球上では実質的に同義であるため、単位は、本件特許発明１において用いられている「質量％」として表現する。 
　実施例１に記載の、 
「ステアリン酸　　　　　３．００質量％ 
セチルアルコール　　　　２．５０質量％ 
ステアリン酸グリセリル　１．００質量％ 
オクチルドデカノール　　３．００質量％ 
シクロメチコン　　　　　１．００質量％ 
ミリスチン酸ミリスチル　２．００質量％ 
グリセロール　　　　　　５．００質量％ 
カーボマー　　　　　　　０．１０質量％ 
水酸化ナトリウム　　　　適量 
保存剤　　　　　　　　　適量 
香料　　　　　　　　　　適量 
を含有し、脱ミネラル水で全１００．００質量％として、ｐＨを６．０〜８．０に調整した、Ｏ／Ｗクリームである化粧品または皮膚化学的調製物」 
（以下、「甲１−１発明」という）、 
  
実施例４に記載の、 
「ステアリン酸　　　　　　１．００質量％ 
セチルアルコール　　　　　２．００質量％ 
ステアリン酸グリコール　　０．５０質量％ 
ステアリン酸グリセリル　　０．２５質量％ 
イソノナン酸セテアリル　　２．００質量％ 
パルミチン酸イソプロピル　１．００質量％ 
ジメチコン　　　　　　　　０．６０質量％ 
パルミチン酸セチル　　　　０．７０質量％ 
グリセロール　　　　　　　３．００質量％ 
カーボマー　　　　　　　　０．１５質量％ 
雲母　　　　　　　　　　　１．００質量％ 
ケイ酸マグネシウム　　　　１．００質量％ 
酸化鉄　　　　　　　　　　１．００質量％ 
二酸化チタン　　　　　　　２．５０質量％ 
タルク　　　　　　　　　　５．００質量％ 
パルミチン酸ビタミンＡ　　０．１０質量％ 
水酸化ナトリウム　　　　　適量 
保存剤　　　　　　　　　　適量 
香料　　　　　　　　　　　適量 
を含有し、脱ミネラル水で全１００．００重量％として、ｐＨを６．０〜８．０に調整した、Ｏ／Ｗエマルションメークアップ」 
（以下、「甲１−４発明」という）、 
  
実施例６に記載の、 
「ステアリン酸　　　　　　　　　　　　２．００質量％ 
セチルステアリルアルコール　　　　　　２．００質量％ 
ステアリン酸グリコール　　　　　　　　０．３０質量％ 
ステアリン酸グリセリル　　　　　　　　０．３０質量％ 
カプリル酸／カプリン酸トリグリセリド　１．００質量％ 
エチルヘキサン酸セチルステアリル　　　１．００質量％ 
ジメチコン　　　　　　　　　　　　　　４．００質量％ 
ミリスチン酸ミリスチル　　　　　　　　１．００質量％ 
酢酸ビタミンＥ　　　　　　　　　　　　２．００質量％ 
カーボマーナトリウム　　　　　　　　　０．１０質量％ 
グリセロール　　　　　　　　　　　　　３．００質量％ 
香料、保存剤、染料、等　　　　　　　　適量 
水酸化ナトリウム　　　　　　　　　　　適量 
を含有し、水で全１００．００重量％として、ｐＨを６．０〜７．５に調整した、Ｏ／Ｗローションである化粧品または皮膚化学的調製物」 
（以下、「甲１−６発明」という）、 
  
実施例７に記載の、 
「ステアリン酸　　　　　　　　　３．５０質量％ 
セチルアルコール　　　　　　　　１．５０質量％ 
ミリスチルアルコール　　　　　　１．００質量％ 
ステアリン酸グリセリル　　　　　１．００質量％ 
オクチルドデカノール　　　　　　１．００質量％ 
安息香酸Ｃ１２−１５−アルキル　　　 ２．００質量％ 
パラフィン油　　　　　　　　　　０．５０質量％ 
ジメチコン　　　　　　　　　　　１．００質量％ 
パルミチン酸セチル　　　　　　　０．８０質量％ 
キサンタンゴム　　　　　　　　　０．１０質量％ 
カーボマーナトリウム　　　　　　０．１０質量％ 
グリセロール　　　　　　　　　　３．００質量％ 
メトキシケイ皮酸オクチル　　　　４．００質量％ 
ベンゾフェノン−３　　　　　　　３．００質量％ 
サリチル酸オクチル　　　　　　　３．００質量％ 
ＢＨＴ　　　　　　　　　　　　　０．０２質量％ 
Ｎａ２Ｈ２ＥＤＴＡ　　　　　　　　０．１０質量％ 
香料、保存剤、染料　　　　　　　　適量 
水酸化カリウム　　　　　　　　　　適量 
を含有し、水で全１００．００重量％として、ｐＨを６．５〜８．０に調整した、Ｏ／Ｗエマルション形態の日焼け止めクリーム」 
（以下、「甲１−７発明」という）。 
　なお、「甲１−１発明」、「甲１−４発明」、「甲１−６発明」、「甲１−７発明」をまとめて「甲１発明」ともいう。 
  
（イ）本件特許発明１と甲１発明との対比・相違点の認定
　以下、本件特許発明１と甲１発明とを対比する。
　甲１発明の製品は、Ｏ／Ｗクリームである化粧品または皮膚化学的調製物（甲１−１発明）、Ｏ／Ｗエマルションメークアップ（甲１−４発明）、Ｏ／Ｗローションである化粧品または皮膚化学的調製物（甲１−６発明）、Ｏ／Ｗエマルション形態の日焼け止めクリーム（甲１−７発明）であり、これらはいずれも「水中油滴型の皮膚外用剤組成物」に相当する。
　甲１発明における「ステアリン酸グリセリル」は、本件特許発明１の「（Ｂ）グリセリン脂肪酸エステルの１種以上」に該当し、その含有量は、甲１−１発明及び甲１−７発明では１．００質量％、甲１−４発明では０．２５質量％、甲１−６発明では０．３０質量％であって、いずれも本件特許発明１の（Ｂ）成分の含有量「０．１〜５質量％」の範囲内にあり、さらに、甲１発明における「ミリスチン酸ミリスチル」、「パルミチン酸セチル」は、本件特許発明１の「（Ｃ）直鎖脂肪酸と高級アルコールのエステル及びバチルアルコールの脂肪酸エステルから選ばれる１種以上」に該当し、その含有量は、甲１−１発明では２．００質量％、甲１−４発明では０．７０質量％、甲１−６発明では１．００質量％、甲１−７発明では０．８０質量％であって、いずれも本件特許発明１の（Ｃ）成分の含有量「０．５〜１０質量％」の範囲内にある。
　本件特許発明１からは、（ａ）ミツロウ、（ｄ）ポリビニルアルコール、（ｅ）カルニチン、その誘導体及びそれらの塩より選択される１種以上、のいずれか１以上の成分を含有するものが除かれているが、 甲１発明は、これらのいずれの成分も含まない。
　本件特許発明１からは、（ｆ）に該当する場合も除かれているが、甲１発明において、（Ｂ）成分以外であって、（Ｃ）成分以外のエステル油は、「ステアリン酸グリコール」、「イソノナン酸セテアリル」、「パルミチン酸イソプロピル」、「カプリン酸／カプリン酸トリグリセリド」、「エチルヘキサン酸セチルステアリル」、「メトキシケイ皮酸オクチル」、「パルミチン酸ビタミンＡ」、「安息香酸Ｃ１２−１５−アルキル」、「サリチル酸オクチル」が該当するが、これらの成分と（Ｃ）成分との合計含有量が１０質量％を超えるものはない。
　甲１発明における「セチルアルコール」、「セチルステアリルアルコール」、「ミリスチルアルコール」は、本件特許発明１の（Ａ）成分に該当するが、その含有量は、甲１−１発明及び甲１−７発明では２．５０質量％、甲１−４発明及び甲１−６発明では２．００質量％であって、いずれも本件特許発明１の（Ａ）成分の含有量「６〜１５質量％」の範囲外である。
　そうすると、本件特許発明１と、甲１発明は、
「下記（Ａ）成分〜（Ｃ）成分を必須成分として構成される、水中油滴型構造を含む皮膚外用剤組成物（但し、下記（ａ）、（ｄ）、（ｅ）のいずれか１以上の成分を含有するものを除き、更に下記（ｆ）に該当する場合を除く）。
　（Ａ）常温で固体の高級アルコールの１種以上
　（Ｂ）グリセリン脂肪酸エステルの１種以上  ０．１〜５質量％
　（Ｃ）直鎖脂肪酸と高級アルコールのエステル及びバチルアルコールの脂肪酸エステルから選ばれる１種以上  ０．５〜１０質量％
　（ａ）ミツロウ
　（ｄ）ポリビニルアルコール
　（ｅ）カルニチン、その誘導体及びそれらの塩より選択される１種以上
　（ｆ）上記（Ｂ）成分以外のエステル油であって上記（Ｃ）成分以外のものを含有し、これと上記（Ｃ）成分との合計含有量が１０質量％を超える場合」
である点で一致し、
（相違点１） 
　水中油滴型構造について、本件特許発明１は、油滴が球状液晶である水中油滴型液晶構造であるのに対し、甲１発明では、そのような特定がなされていない点。
（相違点２）
　（Ａ）成分の含有量が、本件特許発明１は、６〜１５質量％であるのに対し、甲１発明では、２．５０質量％、または、２．００質量％である点。
で相違する。
（ウ）本件特許発明１についての判断
　本件特許発明１は、上記「第２　訂正請求について」において示したとおり、（Ａ）成分の含有量を「２〜１５質量％」から「６〜１５質量％」に限定する訂正がなされたため、上記（相違点２）に係る（Ａ）成分の含有量の点で、甲１発明と明確に相違するものとなった。
　したがって、（相違点１）について検討するまでもなく、本件特許発明１は甲１に記載された発明ということはできない。
（エ）本件特許発明２〜４についての判断
　上記（ウ）に示したとおり、本件特許発明１は、甲１に記載された発明ではないから、その本件特許発明１をさらに限定した発明である本件特許発明２〜４も、同様に、甲１に記載された発明ということはできない。
（２−甲２）甲２発明に基づく新規性について
（ア）甲２発明の認定 
　上記記載事項（２−１）〜（２−４）の、特に実施例１〜１２の記載より、甲２には、以下の発明が記載されていると認められる。 
　実施例１〜４に記載の、 
「１，３−ブチレングリコール　８質量％ 
キシリトール　３質量％ 
ダイナマイトグリセリン　８質量％ 
キサンタンガム　０．２質量％ 
自己乳化型モノステアリン酸グリセリン　実施例１及び３は１．０８質量％、実施例２は１．５質量％、実施例４は０．５４質量％ 
トリステアリン酸ソルビタン　実施例１は０．２７質量％、実施例２は０．５質量％、実施例３及び４は１．３５質量％ 
ステアリン酸ＰＥＧ４０　実施例１は１．３５質量％、実施例２は０．７質量％、実施例３は０．２７質量％、実施例４は０．８１質量％ 
ミリスチン酸ミリスチル　２質量％ 
ステアリルアルコール　０．６質量％ 
ベヘニルアルコール　２．２質量％ 
シクロメチコン　２質量％ 
テトラ２−エチルヘキサン酸ペンタエリスリット　１５質量％ 
酢酸レチノール　０．２質量％ 
４−メトキシサリチル酸塩　１質量％ 
トラネキサム酸　１質量％ 
クエン酸　０．０４質量％ 
クエン酸ナトリウム　０．０６質量％ 
ブチルヒドロキシトルエン（ＢＨＴ）　０．０５質量％ 
エデト酸三ナトリウム　０．０５質量％ 
フェノキシエタノール　０．５質量％ 
イオン交換水　１００質量％の残余 
を含有した、水中油型乳化皮膚化粧料」 
（以下、「甲２−Ａ発明」という。）、 
  
実施例５〜８に記載の、 
「１，３−ブチレングリコール　８質量％ 
キシリトール　３質量％ 
ダイナマイトグリセリン　８質量％ 
キサンタンガム　０．２質量％ 
自己乳化型モノステアリン酸グリセリン　実施例５は１．５質量％、実施例６は１．２質量％、実施例７は０．９質量％、実施例８は０．６質量％ 
トリステアリン酸ソルビタン　実施例５は０．５質量％、実施例６は０．４質量％、実施例７は０．３質量％、実施例８は０．２質量％ 
ステアリン酸ＰＥＧ４０　実施例５は０．７質量％、実施例６は０．５６質量％、実施例７は０．４２質量％、実施例８は０．２８質量％ 
ミリスチン酸ミリスチル　２質量％ 
ステアリルアルコール　０．６質量％ 
ベヘニルアルコール　２．２質量％ 
シクロメチコン　２質量％ 
テトラ２−エチルヘキサン酸ペンタエリスリット　１５質量％ 
酢酸レチノール　０．２質量％ 
４−メトキシサリチル酸ナトリウム　１質量％ 
トラネキサム酸　１質量％ 
クエン酸　０．０４質量％ 
クエン酸ナトリウム　０．０６質量％ 
ブチルヒドロキシトルエン（ＢＨＴ）　０．０５質量％ 
エデト酸三ナトリウム　０．０５質量％ 
フェノキシエタノール　０．５質量％ 
イオン交換水　１００質量％の残余 
を含有した、水中油型乳化皮膚化粧料」 
（以下、「甲２−Ｂ発明」という。）、 
  
実施例９〜１１に記載の、 
「１，３−ブチレングリコール　８質量％ 
キシリトール　３質量％ 
ダイナマイトグリセリン　８質量％ 
キサンタンガム　０．２質量％ 
自己乳化型モノステアリン酸グリセリン　実施例９は０．４８質量％、実施例１０は０．３２質量％、実施例１１は０．１６質量％ 
トリステアリン酸ソルビタン　実施例９は０．６６質量％、実施例１０は０．９８質量％、実施例１１は１．３質量％ 
ステアリン酸ＰＥＧ４０　実施例９は０．４８質量％、実施例１０は０．３２質量％、実施例１１は０．１６質量％ 
ミリスチン酸ミリスチル　２質量％ 
ステアリルアルコール　０．９質量％ 
ベヘニルアルコール　３．３質量％ 
シクロメチコン　２質量％ 
テトラ２−エチルヘキサン酸ペンタエリスリット　１５質量％ 
ポリプロピレンポリマー　１質量％ 
酢酸レチノール　０．２質量％ 
４−メトキシサリチル酸塩　１質量％ 
トラネキサム酸　１質量％ 
クエン酸　０．０４質量％ 
クエン酸ナトリウム　０．０６質量％ 
ブチルヒドロキシトルエン（ＢＨＴ）　０．０５質量％ 
エデト酸三ナトリウム　０．０５質量％ 
フェノキシエタノール　０．５質量％ 
イオン交換水　１００質量％の残余 
を含有した、水中油型乳化皮膚化粧料」 
（以下、「甲２−Ｃ発明」という。）、 
  
実施例１２に記載の、 
「　（配合成分）　　　　　　　　　　　　　　　　　　（質量％） 
（１）酢酸レチノール　　　　　　　　　　　　　　　　　０．２ 
（２）トリステアリン酸ソルビタン　　　　　　　　　　　１．３５ 
（３）ステアリン酸ＰＥＧ４０　　　　　　　　　　　　　０．８１ 
（４）自己乳化型モノステアリン酸グリセリン　　　　　　０．５４ 
（５）ステアリルアルコール　　　　　　　　　　　　　　０．９ 
（６）ベヘニルアルコール　　　　　　　　　　　　　　　３．３ 
（７）テトラ２−エチルヘキサン酸ペンタエリスリット　１５ 
（８）シクロメチコン　　　　　　　　　　　　　　　　　２ 
（９）ミリスチン酸ミリスチル　　　　　　　　　　　　　２ 
（１０）ＢＨＴ　　　　　　　　　　　　　　　　　　　　０．０５ 
（１１）ピロ亜硫酸ナトリウム　　　　　　　　　　　　　０．００３ 
（１２）ダイナマイトグリセリン　　　　　　　　　　　　８ 
（１３）キシリトール　　　　　　　　　　　　　　　　　３ 
（１４）１、３−ブチレングリコール　　　　　　　　　　８ 
（１５）キサンタンガム　　　　　　　　　　　　　　　　０．２ 
（１６）クエン酸ナトリウム　　　　　　　　　　　　　　０．０６ 
（１７）クエン酸　　　　　　　　　　　　　　　　　　　０．０４ 
（１８）エデト酸三ナトリウム　　　　　　　　　　　　　０．０５ 
（１９）フェノキシエタノール　　　　　　　　　　　　　０．５ 
（２０）トラネキサム酸　　　　　　　　　　　　　　　　１ 
（２１）４−メトキシサリチル酸カリウム　　　　　　　　１ 
（２２）水　　　　　　　　　　　　　　　　　　　　　　残余 
 を含有した、水中油型スキンクリーム。」 
（以下、「甲２−Ｄ発明」という）。 
　なお、「甲２−Ａ発明」〜「甲２−Ｄ発明」をまとめて「甲２発明」ともいう。 
  
（イ）本件特許発明１と甲２発明との対比・相違点の認定 
　以下、本件特許発明１と甲２発明とを対比する。 
　甲２発明の製品は、水中油型乳化皮膚化粧料（甲２−Ａ発明〜甲２−Ｃ発明）、水中油型スキンクリーム（甲２−Ｄ発明）であり、これらはいずれも「水中油滴型の皮膚外用剤組成物」に相当する。
　甲２発明における「自己乳化型モノステアリン酸グリセリン」は、本件特許発明１の「（Ｂ）グリセリン脂肪酸エステルの１種以上」に該当し、その含有量は、甲２−Ａ発明の実施例１及び実施例３では１．０８質量％、甲２−Ａ発明の実施例２では１．５質量％、甲２−Ａ発明の実施例４では０．５４質量％、甲２−Ｂ発明の実施例５では１．５質量％、甲２−Ｂ発明の実施例６では１．２質量％、甲２−Ｂ発明の実施例７では０．９質量％、甲２−Ｂ発明の実施例８では０．６質量％、甲２−Ｃ発明の実施例９では０．４８質量％、甲２−Ｃ発明の実施例１０では０．３２質量％、甲２−Ｃ発明の実施例１１では０．１６質量％、甲２−Ｄ発明では０．５４質量％であって、いずれも本件特許発明１の（Ｂ）成分の含有量「０．１〜５質量％」の範囲内にあり、さらに、甲２発明における「ミリスチン酸ミリスチル」は、本件特許発明１の「（Ｃ）直鎖脂肪酸と高級アルコールのエステル及びバチルアルコールの脂肪酸エステルから選ばれる１種以上」に該当し、その含有量は２質量％であって、本件特許発明１の（Ｃ）成分の含有量「０．５〜１０質量％」の範囲内にある。 
　本件特許発明１からは、（ａ）ミツロウ、（ｄ）ポリビニルアルコール、（ｅ）カルニチン、その誘導体及びそれらの塩より選択される１種以上、のいずれか１以上の成分を含有するものが除かれているが、 甲２発明は、これらのいずれの成分も含まない。
　本件特許発明１からは、（ｆ）に該当する場合も除かれているところ、甲２発明における「テトラ２−エチルヘキサン酸ペンタエリスリット」は、「（Ｂ）成分以外であって、（Ｃ）成分以外のエステル油」に該当し、この含有量が１５質量％と、１０質量％を超えるものであるから、甲２発明はいずれも、当該除かれる（ｆ）の態様にあたる。
　甲２発明における「ステアリルアルコール」、「ベヘニルアルコール」は、本件特許発明１の（Ａ）成分に該当するが、その含有量は、甲２−Ａ発明及び甲２−Ｂ発明では２．８質量％、甲２−Ｃ発明及び甲２−Ｄ発明では４．２質量％であって、いずれも本件特許発明１の（Ａ）成分の含有量「６〜１５質量％」の範囲外である。
　そうすると、本件特許発明１と甲２発明は、
「下記（Ａ）成分〜（Ｃ）成分を必須成分として構成される、水中油滴型構造を含む皮膚外用剤組成物（但し、下記（ａ）、（ｄ）、（ｅ）のいずれか１以上の成分を含有するものを除く）。
（Ａ）常温で固体の高級アルコールの１種以上
（Ｂ）グリセリン脂肪酸エステルの１種以上  ０．１〜５質量％
（Ｃ）直鎖脂肪酸と高級アルコールのエステル及びバチルアルコールの脂肪酸エステルから選ばれる１種以上  ０．５〜１０質量％
（ａ）ミツロウ
（ｄ）ポリビニルアルコール
（ｅ）カルニチン、その誘導体及びそれらの塩より選択される１種以上」
である点で一致し、
（相違点１） 
　水中油滴型構造について、本件特許発明１は、油滴が球状液晶である水中油滴型液晶構造であるのに対し、甲２発明では、そのような特定がなされていない点。
（相違点２）
（Ａ）成分の含有量が、本件特許発明１は、６〜１５質量％であるのに対し、甲２発明では、２．８質量％、または、４．２質量％である点。
（相違点３）
　本件特許発明１からは、「（Ｂ）成分以外のエステル油であって上記（Ｃ）成分以外のものを含有し、これと上記（Ｃ）成分との合計含有量が１０質量％を超える場合」が除かれているのに対し、甲２発明は、この除かれている態様に該当する点。
で相違する。
（ウ）本件特許発明１についての判断
　本件特許発明１は、上記「第２　訂正請求について」において示したとおり、（Ａ）成分の含有量を「２〜１５質量％」から「６〜１５質量％」に限定する訂正がなされたため、上記（相違点２）に係る（Ａ）成分の含有量の点で、甲２発明と明確に相違するものとなった。
　また甲２発明は、（相違点３）に係る、本件特許発明１からは除かれている（ｆ）の態様に該当するものであるから、この点でも本件特許発明１と明確に相違するものである。
　したがって、（相違点１）について検討するまでもなく、本件特許発明１は甲２に記載された発明ということはできない。
（エ）本件特許発明２〜４についての判断
　上記（ウ）に示したとおり、本件特許発明１は、甲２に記載された発明ではないから、その本件特許発明１をさらに限定した発明である本件特許発明２〜４も、同様に、甲２に記載された発明ということはできない。
（２−甲３）甲３発明に基づく新規性について 
（ア）甲３発明の認定 
　上記記載事項（３−１）〜（３−２）の、特に実施例１〜１１及び１３〜２３の記載より、甲３には、以下の発明が記載されていると認められる。 
　実施例１、３、４に記載の、 
「ステアリン酸ＰＥＧ４０　１．１質量％ 
トリステアリン酸ソルビタン　１質量％ 
自己乳化型ステアリン酸グリセリル　２．５質量％ 
ｔｅｒｔ−ブチルメトキシベンゾイルメタン　実施例１及び４は２質量％、実施例３は１質量％ 
ビスエチルヘキシルオキシフェノールメトキシフェニルトリアジン　実施例１及び３は０．５質量％、実施例４は２質量％ 
オクトクリレン　５質量％ 
フェニルベンズイミダゾールスルフォン酸　２質量％ 
ステアリルアルコール　０．５質量％ 
ベヘニルアルコール　２質量％ 
グリセリン　７質量％ 
ジプロピレングリコール　５質量％ 
ブチレングリコール　８質量％ 
キサンタンガム　０．１５質量％ 
ミリスチン酸ミリスチル　２質量％ 
マイクロクリスタリンワックス　１質量％ 
ジメチコン　実施例１及び４は３質量％、実施例３は４質量％ 
スクワラン　実施例１及び３は５質量％、実施例４は３．５質量％ 
トリエタノールアミン　１．２質量％ 
酸化チタン　１質量％ 
球状セルロース　０．５質量％ 
エデト酸塩　０．１質量％ 
フェノキシエタノール　０．５質量％ 
ピロ亜硫酸ナトリウム　０．００３質量％ 
ヘキサメタリン酸ソーダ　０．１質量％ 
酸化鉄（赤）０．０００３質量％ 
酸化鉄（黄）０．００６質量％ 
水　１００質量％の残余 
を含有した、水中油型乳化日焼け止め化粧料」 
（以下、「甲３−Ａ発明」という。）、 
  
実施例２、５、６に記載の、 
「ステアリン酸ＰＥＧ４０　実施例２は０質量％、実施例５及び６は１．１質量％ 
ステアリン酸ＰＥＧ１００　実施例２は１質量％、実施例５及び６は０質量％ 
トリステアリン酸ソルビタン　実施例２は１．１質量％、実施例５及び６は１質量％ 
自己乳化型ステアリン酸グリセリル　２．５質量％ 
ｔｅｒｔ−ブチルメトキシベンゾイルメタン　２質量％ 
ビスエチルヘキシルオキシフェノールメトキシフェニルトリアジン　０．５質量％ 
オクトクリレン　実施例２は３質量％、実施例５は２質量％、実施例６は５質量％ 
メトキシ桂皮酸エチルヘキシル　実施例１及び６は５質量％、実施例５は１質量％ 
フェニルベンズイミダゾールスルフォン酸　２質量％ 
ステアリルアルコール　実施例２は１質量％、実施例５及び６は０．５質量％ 
ベヘニルアルコール　実施例２は０．５質量％、実施例５及び６は２質量％
セタノール　実施例２は１質量％、実施例５及び６は０質量％ 
グリセリン　７質量％ 
ジプロピレングリコール　５質量％ 
ブチレングリコール　８質量％ 
キサンタンガム　０．１５質量％ 
ミリスチン酸ミリスチル　２質量％ 
マイクロクリスタリンワックス　１質量％ 
ジメチコン　実施例２は３質量％、実施例５は５質量％、実施例６は２質量％ 
スクワラン　実施例２は２質量％、実施例５は５質量％、実施例６は１質量％ 
トリエタノールアミン　１．２質量％ 
酸化チタン　１質量％ 
球状セルロース　０．５質量％ 
エデト酸塩　０．１質量％ 
フェノキシエタノール　０．５質量％ 
ピロ亜硫酸ナトリウム　０．００３質量％ 
ヘキサメタリン酸ソーダ　０．１質量％ 
酸化鉄（赤）０．０００３質量％ 
酸化鉄（黄）０．００６質量％ 
水　１００質量％の残余 
を含有した、水中油型乳化日焼け止め化粧料」 
（以下、「甲３−Ｂ発明」という。）、 
  
実施例７、８に記載の、 
「ステアリン酸ＰＥＧ４０　１．１質量％ 
トリステアリン酸ソルビタン　１質量％ 
自己乳化型ステアリン酸グリセリル　２．５質量％ 
ｔｅｒｔ−ブチルメトキシベンゾイルメタン　２質量％ 
ビスエチルヘキシルオキシフェノールメトキシフェニルトリアジン　０．５質量％ 
オクトクリレン　５質量％ 
フェニルベンズイミダゾールスルフォン酸　実施例７は１質量％、実施例８は３質量％ 
ステアリルアルコール　０．５質量％ 
ベヘニルアルコール　２質量％ 
グリセリン　７質量％ 
ジプロピレングリコール　５質量％ 
ブチレングリコール　８質量％ 
キサンタンガム　０．１５質量％ 
ミリスチン酸ミリスチル　２質量％ 
マイクロクリスタリンワックス　１質量％ 
ジメチコン　３質量％ 
スクワラン　５質量％ 
トリエタノールアミン　実施例７は０．６質量％、実施例８は１．８質量％
酸化チタン　１質量％ 
球状セルロース　０．５質量％ 
エデト酸塩　０．１質量％ 
フェノキシエタノール　０．５質量％ 
ピロ亜硫酸ナトリウム　０．００３質量％ 
ヘキサメタリン酸ソーダ　０．１質量％ 
酸化鉄（赤）０．０００３質量％ 
酸化鉄（黄）０．００６質量％ 
水　１００質量％の残余 
を含有した、水中油型乳化日焼け止め化粧料」 
（以下、「甲３−Ｃ発明」という。）、 
  
実施例９、１０に記載の、 
「ステアリン酸ＰＥＧ４０　実施例９は０．４４質量％、実施例１０は１．３２質量％ 
トリステアリン酸ソルビタン　実施例９は０．４質量％、実施例１０は１．２質量％ 
自己乳化型ステアリン酸グリセリル　実施例９は１質量％、実施例１０は３質量％ 
ｔｅｒｔ−ブチルメトキシベンゾイルメタン　２質量％ 
ビスエチルヘキシルオキシフェノールメトキシフェニルトリアジン　０．５質量％ 
オクトクリレン　５質量％ 
フェニルベンズイミダゾールスルフォン酸　２質量％ 
ステアリルアルコール　０．５質量％ 
ベヘニルアルコール　２質量％ 
グリセリン　７質量％ 
ジプロピレングリコール　５質量％ 
ブチレングリコール　８質量％ 
キサンタンガム　０．１５質量％ 
ミリスチン酸ミリスチル　２質量％ 
マイクロクリスタリンワックス　１質量％ 
ジメチコン　３質量％ 
スクワラン　５質量％ 
トリエタノールアミン　１．２質量％ 
酸化チタン　１質量％ 
球状セルロース　０．５質量％ 
エデト酸塩　０．１質量％ 
フェノキシエタノール　０．５質量％ 
ピロ亜硫酸ナトリウム　０．００３質量％ 
ヘキサメタリン酸ソーダ　０．１質量％ 
酸化鉄（赤）０．０００３質量％ 
酸化鉄（黄）０．００６質量％ 
水　１００質量％の残余 
を含有した、水中油型乳化日焼け止め化粧料」 
（以下、「甲３−Ｄ発明」という。）、 
  
実施例１１に記載の、 
「ステアリン酸ＰＥＧ４０　０．８５質量％ 
トリステアリン酸ソルビタン　０．７５質量％ 
自己乳化型ステアリン酸グリセリル　３質量％ 
ｔｅｒｔ−ブチルメトキシベンゾイルメタン　２質量％ 
ビスエチルヘキシルオキシフェノールメトキシフェニルトリアジン　０．５質量％ 
オクトクリレン　５質量％ 
フェニルベンズイミダゾールスルフォン酸　２質量％ 
ステアリルアルコール　０．５質量％ 
ベヘニルアルコール　２質量％ 
グリセリン　７質量％ 
ジプロピレングリコール　５質量％ 
ブチレングリコール　８質量％ 
キサンタンガム　０．１５質量％ 
ミリスチン酸ミリスチル　２質量％ 
マイクロクリスタリンワックス　１質量％ 
ジメチコン　３質量％ 
スクワラン　５質量％ 
トリエタノールアミン　１．２質量％ 
酸化チタン　１質量％ 
球状セルロース　０．５質量％ 
エデト酸塩　０．１質量％ 
フェノキシエタノール　０．５質量％ 
ピロ亜硫酸ナトリウム　０．００３質量％ 
ヘキサメタリン酸ソーダ　０．１質量％ 
酸化鉄（赤）０．０００３質量％ 
酸化鉄（黄）０．００６質量％ 
水　１００質量％の残余 
を含有した、水中油型乳化日焼け止め化粧料」 
（以下、「甲３−Ｅ発明」という。）、 
  
実施例１３に記載の、 
「ステアリン酸ＰＥＧ４０　１．１質量％ 
トリステアリン酸ソルビタン　１質量％ 
自己乳化型ステアリン酸グリセリル　２．５質量％ 
ｔｅｒｔ−ブチルメトキシベンゾイルメタン　２質量％ 
ビスエチルヘキシルオキシフェノールメトキシフェニルトリアジン　０．５質量％ 
オクトクリレン　５質量％ 
フェニルベンズイミダゾールスルフォン酸　２質量％ 
ステアリルアルコール　０．６質量％ 
ベヘニルアルコール　２．４質量％ 
グリセリン　７質量％ 
ジプロピレングリコール　５質量％ 
ブチレングリコール　８質量％ 
キサンタンガム　０．１５質量％ 
ミリスチン酸ミリスチル　２質量％ 
マイクロクリスタリンワックス　１質量％ 
ジメチコン　３質量％ 
スクワラン　５質量％ 
トリエタノールアミン　１．２質量％ 
酸化チタン　１質量％ 
球状セルロース　０．５質量％ 
エデト酸塩　０．１質量％ 
フェノキシエタノール　０．５質量％ 
ピロ亜硫酸ナトリウム　０．００３質量％ 
ヘキサメタリン酸ソーダ　０．１質量％ 
酸化鉄（赤）０．０００３質量％ 
酸化鉄（黄）０．００６質量％ 
水　１００質量％の残余 
を含有した、水中油型乳化日焼け止め化粧料」 
（以下、「甲３−Ｆ発明」という。）、 
  
実施例１４〜１７に記載の、 
「ステアリン酸ＰＥＧ４０　１．１質量％ 
トリステアリン酸ソルビタン　１質量％ 
自己乳化型ステアリン酸グリセリル　２．５質量％ 
ｔｅｒｔ−ブチルメトキシベンゾイルメタン　２質量％ 
ビスエチルヘキシルオキシフェノールメトキシフェニルトリアジン　０．５質量％ 
オクトクリレン　５質量％ 
フェニルベンズイミダゾールスルフォン酸　２質量％ 
ステアリルアルコール　０．５質量％ 
ベヘニルアルコール　２質量％ 
２−エチルヘキサン酸２−エチルヘキシル　実施例１４は１質量％、実施例１５は２質量％、実施例１６は０質量％、実施例１７は５質量％ 
イソノナン酸イソノニル　実施例１６は２質量％、実施例１４、１５及び１７は０質量％ 
グリセリン　７質量％ 
ジプロピレングリコール　５質量％ 
ブチレングリコール　８質量％ 
キサンタンガム　０．１５質量％ 
ミリスチン酸ミリスチル　２質量％ 
マイクロクリスタリンワックス　１質量％ 
ジメチコン　３質量％ 
スクワラン　実施例１４は４質量％、実施例１５及び１６は３質量％、実施例１７は０質量％ 
トリエタノールアミン　１．２質量％ 
酸化チタン　１質量％ 
球状セルロース　０．５質量％ 
エデト酸塩　０．１質量％ 
フェノキシエタノール　０．５質量％ 
ピロ亜硫酸ナトリウム　０．００３質量％ 
ヘキサメタリン酸ソーダ　０．１質量％ 
酸化鉄（赤）０．０００３質量％ 
酸化鉄（黄）０．００６質量％ 
水　１００質量％の残余 
を含有した、水中油型乳化日焼け止め化粧料」 
（以下、「甲３−Ｇ発明」という。）、 
  
実施例１８〜２１に記載の、 
「ステアリン酸ＰＥＧ４０　１．１質量％ 
トリステアリン酸ソルビタン　１質量％ 
自己乳化型ステアリン酸グリセリル　２．５質量％ 
ｔｅｒｔ−ブチルメトキシベンゾイルメタン　２質量％ 
ビスエチルヘキシルオキシフェノールメトキシフェニルトリアジン　０．５質量％ 
オクトクリレン　５質量％ 
フェニルベンズイミダゾールスルフォン酸　２質量％ 
ステアリルアルコール　０．５質量％ 
ベヘニルアルコール　２質量％ 
ＰＥＧ／ＰＰＧ−１４／７ジメチルエーテル　実施例１８は１質量％、実施例１９は２質量％、実施例２０は０質量％、実施例２１は５質量％ 
ＰＥＧ／ＰＰＧ−１７／４ジメチルエーテル　実施例１８、１９及び２１は０質量％、実施例２０は２質量％ 
グリセリン　７質量％ 
ジプロピレングリコール　５質量％ 
ブチレングリコール　８質量％ 
キサンタンガム　０．１５質量％ 
ミリスチン酸ミリスチル　２質量％ 
マイクロクリスタリンワックス　１質量％ 
ジメチコン　３質量％ 
スクワラン　５質量％ 
トリエタノールアミン　１．２質量％ 
酸化チタン　１質量％ 
球状セルロース　０．５質量％ 
エデト酸塩　０．１質量％ 
フェノキシエタノール　０．５質量％ 
ピロ亜硫酸ナトリウム　０．００３質量％ 
ヘキサメタリン酸ソーダ　０．１質量％ 
酸化鉄（赤）０．０００３質量％ 
酸化鉄（黄）０．００６質量％ 
水　１００質量％の残余 
を含有した、水中油型乳化日焼け止め化粧料」 
（以下、「甲３−Ｈ発明」という。）、 
  
実施例２２及び２３に記載の、 
「ステアリン酸ＰＥＧ４０　１．１質量％ 
トリステアリン酸ソルビタン　１質量％ 
自己乳化型ステアリン酸グリセリル　２．５質量％ 
ｔｅｒｔ−ブチルメトキシベンゾイルメタン　２質量％ 
ビスエチルヘキシルオキシフェノールメトキシフェニルトリアジン　０．５質量％ 
オクトクリレン　５質量％ 
フェニルベンズイミダゾールスルフォン酸　２質量％ 
ステアリルアルコール　０．５質量％ 
ベヘニルアルコール　２質量％ 
カルノシン　実施例２２は１質量％、実施例２３は３質量％ 
グリセリン　７質量％ 
ジプロピレングリコール　５質量％ 
ブチレングリコール　８質量％ 
キサンタンガム　０．１５質量％ 
ミリスチン酸ミリスチル　２質量％ 
マイクロクリスタリンワックス　１質量％ 
ジメチコン　３質量％ 
スクワラン　５質量％ 
トリエタノールアミン　１．２質量％ 
酸化チタン　１質量％ 
球状セルロース　０．５質量％ 
エデト酸塩　０．１質量％ 
フェノキシエタノール　０．５質量％ 
ピロ亜硫酸ナトリウム　０．００３質量％ 
ヘキサメタリン酸ソーダ　０．１質量％ 
酸化鉄（赤）０．０００３質量％ 
酸化鉄（黄）０．００６質量％ 
水　１００質量％の残余 
を含有した、水中油型乳化日焼け止め化粧料」 
（以下、「甲３−Ｉ発明」という。）。 
　なお、「甲３−Ａ発明」〜「甲３−Ｉ発明」をまとめて「甲３発明」ともいう。 
  
（イ）本件特許発明１と甲３発明との対比・相違点の認定 
　以下、本件特許発明１と甲３発明とを対比する。 
　甲３発明の製品は、水中油型乳化日焼け止め化粧料であり、これらはいずれも「水中油滴型の皮膚外用剤組成物」に相当する。 
　甲３発明における「自己乳化型ステアリン酸グリセリル」は、本件特許発明１の「（Ｂ）グリセリン脂肪酸エステルの１種以上」に該当し、その含有量は、甲３−Ａ発明〜甲３−Ｃ発明及び甲３−Ｆ発明〜甲３−Ｉ発明では２．５質量％、甲３−Ｄ発明の実施例９では１質量％、甲３−Ｄ発明の実施例１０及び甲３−Ｅ発明では３質量％であって、いずれも本件特許発明１の（Ｂ）成分の含有量「０．１〜５質量％」の範囲内にあり、さらに、甲３発明における「ミリスチン酸ミリスチル」は、本件特許発明１の「（Ｃ）直鎖脂肪酸と高級アルコールのエステル及びバチルアルコールの脂肪酸エステルから選ばれる１種以上」に該当し、その含有量は２質量％であって、本件特許発明１の（Ｃ）成分の含有量「０．５〜１０質量％」の範囲内にある。 
　本件特許発明１からは、（ａ）ミツロウ、（ｄ）ポリビニルアルコール、（ｅ）カルニチン、その誘導体及びそれらの塩より選択される１種以上、のいずれか１以上の成分を含有するものが除かれているが、 甲３発明は、これらのいずれの成分も含まない。
　本件特許発明１からは、（ｆ）に該当する場合も除かれているが、甲３発明において、（Ｂ）成分以外であって、（Ｃ）成分以外のエステル油は、「ステアリン酸ＰＥＧ４０」、「ステアリン酸ＰＥＧ１００」、「トリステアリン酸ソルビタン」、「メトキシ桂皮酸エチルヘキシル」、「２−エチルヘキサン酸２−エチルヘキシル」、「イソノナン酸イソノニル」が該当するが、これらの成分と（Ｃ）成分との合計含有量が１０質量％を超えるものはない。
　甲３発明における「ステアリルアルコール」、「ベヘニルアルコール」、「セタノール」は、本件特許発明１の（Ａ）成分に該当するが、その含有量は、甲３−Ａ発明〜甲３−Ｅ発明及び甲３−Ｇ発明〜甲３−Ｉ発明では２．５質量％、甲３−Ｆ発明では３質量％であって、いずれも本件特許発明１の（Ａ）成分の含有量「６〜１５質量％」の範囲外である。
　そうすると、本件特許発明１と甲３発明は、 
「下記（Ａ）成分〜（Ｃ）成分を必須成分として構成される、水中油滴型構造を含む皮膚外用剤組成物（但し、下記（ａ）、（ｄ）、（ｅ）のいずれか１以上の成分を含有するものを除き、更に下記（ｆ）に該当する場合を除く）。
　（Ａ）常温で固体の高級アルコールの１種以上
　（Ｂ）グリセリン脂肪酸エステルの１種以上  ０．１〜５質量％
　（Ｃ）直鎖脂肪酸と高級アルコールのエステル及びバチルアルコールの脂肪酸エステルから選ばれる１種以上  ０．５〜１０質量％
　（ａ）ミツロウ
　（ｄ）ポリビニルアルコール
　（ｅ）カルニチン、その誘導体及びそれらの塩より選択される１種以上
　（ｆ）上記（Ｂ）成分以外のエステル油であって上記（Ｃ）成分以外のものを含有し、これと上記（Ｃ）成分との合計含有量が１０質量％を超える場合」
である点で一致し、
（相違点１） 
　水中油滴型構造について、本件特許発明１は、油滴が球状液晶である水中油滴型液晶構造であるのに対し、甲３発明では、そのような特定がなされていない点。
（相違点２）
　（Ａ）成分の含有量が、本件特許発明１は、６〜１５質量％であるのに対し、甲３発明では、２．５質量％、または、３質量％である点。
で相違する。
（ウ）本件特許発明１についての判断
　本件特許発明１は、上記「第２　訂正請求について」において示したとおり、（Ａ）成分の含有量を「２〜１５質量％」から「６〜１５質量％」に限定する訂正がなされたため、上記（相違点２）に係る（Ａ）成分の含有量の点で、甲３発明と明確に相違するものとなった。
　したがって、（相違点１）について検討するまでもなく、本件特許発明１は甲３に記載された発明ということはできない。
（エ）本件特許発明２〜４についての判断
　上記（ウ）に示したとおり、本件特許発明１は、甲１に記載された発明ではないから、その本件特許発明１をさらに限定した発明である本件特許発明２〜４も、同様に、甲３に記載された発明ということはできない。
（２−甲４）甲４発明に基づく新規性について 
（ア）甲４発明の認定 
　上記記載事項（４−１）の、特に比較例３の記載より、甲４には、以下の発明が記載されていると認められる。なお、「重量％」と「質量％」は、地球上では実質的に同義であるため、単位は、本件特許発明１において用いられている「質量％」として表現する。 
　比較例３に記載の、 
「尿素　　　　　　　　　　　　　　　　　　５質量％ 
セタノール　　　　　　　　　　　　　　　　３質量％ 
パルミチン酸セチル　　　　　　　　　　　　１質量％ 
モノステアリン酸グリセリル　　　　　　　　３質量％ 
ポリオキシエチレン（２３）セチルエーテル　３質量％ 
ワセリン　　　　　　　　　　　　　　　　　５質量％ 
グリチルリチン酸ジカリウム　　　　　　　　０．５質量％ 
ビタミンＥアセテート　　　　　　　　　　　０．５質量％ 
ヒドロキシエチルセルロース　　　　　　　　０．５質量％ 
トリエタノールアミン　　　　　　　　　　　０．２質量％ 
グリシン　　　　　　　　　　　　　　　　　１．０質量％ 
精製水　　　　　　　　　　　　　　　　　　残量 
を含有した、皮膚に適用する乳化組成物」 
（以下、「甲４発明」という。） 
  
（イ）本件特許発明１と甲４発明との対比・相違点の認定 
　以下、本件特許発明１と甲４発明とを対比する。 
　甲４発明は乳化型の特定がなされていない乳化組成物であるが、約８０％もの精製水を含むものであるところ、その型は「水中油滴型」であると認められる。そうすると、甲４発明は、皮膚に適用する水中油滴型の乳化組成物であり、「水中油滴型の皮膚外用剤組成物」に相当する。
　甲４発明における「モノステアリン酸グリセリル」は、本件特許発明１の「（Ｂ）グリセリン脂肪酸エステルの１種以上」に該当し、その含有量は３質量％であって、本件特許発明１の（Ｂ）成分の含有量「０．１〜５質量％」の範囲内にあり、さらに、甲４発明における「パルミチン酸セチル」は、本件特許発明１の「（Ｃ）直鎖脂肪酸と高級アルコールのエステル及びバチルアルコールの脂肪酸エステルから選ばれる１種以上」に該当し、その含有量は１質量％であって、本件特許発明１の（Ｃ）成分の含有量「０．５〜１０質量％」の範囲内にある。
　本件特許発明１からは、（ａ）ミツロウ、（ｄ）ポリビニルアルコール、（ｅ）カルニチン、その誘導体及びそれらの塩より選択される１種以上、のいずれか１以上の成分を含有するものが除かれているが、 甲４発明は、これらのいずれの成分も含まない。
　本件特許発明１からは、（ｆ）に該当する場合も除かれているが、甲４発明に、（Ｂ）成分以外であって、（Ｃ）成分以外のエステル油は「ビタミンＥアセテート」が該当するが、当該成分と（Ｃ）成分との合計含有量は１０質量％以下である。
　甲４発明における「セタノール」は、本件特許発明１の（Ａ）成分に該当するが、その含有量は３質量％であって、本件特許発明１の（Ａ）成分の含有量「６〜１５質量％」の範囲外である。
　そうすると、本件特許発明１と甲４発明は、 
「下記（Ａ）成分〜（Ｃ）成分を必須成分として構成される、水中油滴型構造を含む皮膚外用剤組成物（但し、下記（ａ）、（ｄ）、（ｅ）のいずれか１以上の成分を含有するものを除き、更に下記（ｆ）に該当する場合を除く）。
　（Ａ）常温で固体の高級アルコールの１種以上
　（Ｂ）グリセリン脂肪酸エステルの１種以上  ０．１〜５質量％
　（Ｃ）直鎖脂肪酸と高級アルコールのエステル及びバチルアルコールの脂肪酸エステルから選ばれる１種以上  ０．５〜１０質量％
　（ａ）ミツロウ
　（ｄ）ポリビニルアルコール
　（ｅ）カルニチン、その誘導体及びそれらの塩より選択される１種以上
　（ｆ）上記（Ｂ）成分以外のエステル油であって上記（Ｃ）成分以外のものを含有し、これと上記（Ｃ）成分との合計含有量が１０質量％を超える場合」
である点で一致し、
（相違点１） 
　水中油滴型構造について、本件特許発明１は、油滴が球状液晶である水中油滴型液晶構造であるのに対し、甲４発明では、そのような特定がなされていない点。
（相違点２）
　（Ａ）成分の含有量が、本件特許発明１は、６〜１５質量％であるのに対し、甲４発明では、３質量％である点。
で相違する。
（ウ）本件特許発明１についての判断
　本件特許発明１は、上記「第２　訂正請求について」において示したとおり、（Ａ）成分の含有量を「２〜１５質量％」から「６〜１５質量％」に限定する訂正がなされたため、上記（相違点２）に係る（Ａ）成分の含有量の点で、甲４発明と明確に相違するものとなった。
　したがって、（相違点１）について検討するまでもなく、本件特許発明１は甲４に記載された発明ということはできない。
（エ）本件特許発明２〜４についての判断
　上記（ウ）に示したとおり、本件特許発明１は、甲４に記載された発明ではないから、その本件特許発明１をさらに限定した発明である本件特許発明２〜４も、同様に、甲４に記載された発明ということはできない。
  
（２−まとめ）小括 
　よって、本件特許発明１〜４に係る特許は、取消理由２によって取り消すべきものではない。
第５　取消理由通知において採用しなかった特許異議申立理由について
　以下では、取消理由通知において採用しなかった特許異議申立理由について述べる。
１　進歩性について
（１）甲２発明に基づく進歩性について
　申立人は、令和１年７月３日付け意見書において、「上記第４の４の（２−甲２）（イ）で示した（相違点２）の（Ａ）成分の配合量について、甲２には、請求項１等に規定されているように、炭素原子数が１４〜２４の高級アルコールの含有量を１〜１０質量％とすることが記載されており、また、（相違点３）のＢ成分以外のエステル油の配合量について、甲２には、「エステル」等の通常化粧品や医薬品等の皮膚外用剤に用いられる他の任意添加成分を、効果を損なわない範囲で適宜配合できることが記載されており（【００２８】）、甲２発明の解決しようとする課題は、「ビタミンＡ類を安定に配合し、使用性（肌なじみ、塗布後の効果実感）、基剤の経時安定性（乳化安定性）に優れる水中油型乳化皮膚化粧料を提供すること」であるから（【０００７】等）、甲２発明において、上記課題を解決できる範囲において、エステルおよび高級アルコールの含有量を本件特許発明１の範囲とすることに困難性はなく、また、本件特許明細書の実施例等の記載を見ても、これらの（相違点２）及び（相違点３）に係る構成により顕著な効果が得られるとは理解できない。」旨、主張し、本件特許発明１〜４は、甲２に記載された発明から当業者が容易に発明をすることができたものであると主張する。
＜合議体の判断＞
　しかしながら甲２発明には、水中油滴型構造を含む皮膚外用剤組成物の油滴が「球状液晶」であることなどは記載されていない（上記「第４の４の（２−甲２）（イ）」で示した（相違点１））。この点、本件特許発明の皮膚外用剤組成物は、本件特許明細書の発明の詳細な説明に「水中油滴型液晶構造の確認は、偏光顕微鏡によって行うことができる。」 との記載があるとおり（【００２５】）、「油滴が球状液晶であること」が確認できるものを本件特許発明としているものであるが、甲２には、油滴を球状液晶とする動機付けとなるような記載は見当たらない。
　確かに本件特許明細書の発明の詳細な説明には、「少なくとも、２〜１５質量％の（Ａ）成分と、０．１〜５質量％の（Ｂ）成分と、０．５〜１０質量％の（Ｃ）成分とを水に加えて撹拌すると、水中油滴型のエマルションであって、その微小な油滴の一部又は全部が球状の液晶となっているものを調製することができる。」なる記載があり、（Ａ）成分〜（Ｃ）成分の配合量が油滴を球状液晶とするのに重要な要素であることは認められるが、他方、甲２発明には、（Ａ）成分〜（Ｃ）成分以外の成分も種々含まれているところ、それらの他の成分を含む甲２発明の油滴が球状液晶であると断ずることもできない。
　そうすると、そのような甲２発明について、上記「第４の４の（２−甲２）（イ）」において示した（相違点２）及び（相違点３）について、（Ａ）成分の配合量を増やし、また、（Ｂ）成分以外のエステル油の量を減らして、甲２に記載も示唆もされていない、油滴を球状液晶とすることが当業者に容易に為し得たということはできない。
　そして本件特許発明の皮膚外用剤組成物は、請求項に規定される発明特定事項を備えることにより、皮膚に塗布した際にも液晶構造が維持されるという高い液晶安定性と良好な塗布感という（【０００６】〜【０００７】、実施例）、当業者に予測外の顕著な効果を奏するものである。
　したがって、本件特許発明は、甲２に記載された事項から、当業者が容易に発明をすることができたものではない。
（２）甲３発明に基づく進歩性について
　申立人は、令和１年７月３日付け意見書において、「上記第４の４の（２−甲３）（イ）で示した（相違点２）の（Ａ）成分の配合量について、甲３には、「高級アルコール」等の通常化粧料に用いられる成分を必要に応じて適宜配合できることが記載されており（【００３１】）、高級アルコールとして成分（Ａ）に該当するミリスチルアルコール、セチルアルコール、ステアリルアルコール、ベヘニルアルコールが記載されているから（【００３７】）、甲３発明において、高級アルコールの含有量を本件特許発明１に記載の範囲とすることに何ら困難性はなく、また本件特許明細書の実施例において、（相違点２）に係る構成が異なっても評価結果は全く同じであるから、当該本件特許明細書の記載に接した当業者は、（Ａ）成分の含有量を「６〜１５質量％」としても何ら新たな効果は得られないことを理解する。」旨、主張し、本件特許発明１〜４は、甲３に記載された発明から当業者が容易に発明をすることができたものであると主張する。
＜合議体の判断＞
　しかしながら甲３発明には、水中油滴型構造を含む皮膚外用剤組成物の油滴が「球状液晶」であることなどは記載されていない（上記「第４の４の（２−甲３）（イ）」で示した（相違点１））。この点、本件特許発明の皮膚外用剤組成物は、本件特許明細書の発明の詳細な説明に「水中油滴型液晶構造の確認は、偏光顕微鏡によって行うことができる。」 との記載があるとおり（【００２５】）、「油滴が球状液晶であること」が確認できるものを本件特許発明としているものであるが、甲３には、油滴を球状液晶とする動機付けとなるような記載は見当たらない。
　確かに本件特許明細書の発明の詳細な説明には、「少なくとも、２〜１５質量％の（Ａ）成分と、０．１〜５質量％の（Ｂ）成分と、０．５〜１０質量％の（Ｃ）成分とを水に加えて撹拌すると、水中油滴型のエマルションであって、その微小な油滴の一部又は全部が球状の液晶となっているものを調製することができる。」なる記載があり、（Ａ）成分〜（Ｃ）成分の配合量が油滴を球状液晶とするのに重要な要素であることは認められるが、他方、甲３発明には、（Ａ）成分〜（Ｃ）成分以外の成分も種々含まれているところ、それらの他の成分を含む甲３発明の油滴が球状液晶であると断ずることもできない。
　そうすると、そのような甲３発明について、上記「第４の４の（２−甲３）（イ）」において示した（相違点２）について、（Ａ）成分の配合量を増やして、甲３に記載も示唆もされていない、油滴を球状液晶とすることが当業者に容易に為し得たということはできない。
　そして本件特許発明の皮膚外用剤組成物は、請求項に規定される発明特定事項を備えることにより、皮膚に塗布した際にも液晶構造が維持されるという高い液晶安定性と良好な塗布感という（【０００６】〜【０００７】、実施例）、当業者に予測外の顕著な効果を奏するものである。
　したがって、本件特許発明は、甲３に記載された事項から、当業者が容易に発明をすることができたものではない。
（３）甲４発明に基づく進歩性について
　申立人は、令和１年７月３日付け意見書において、「上記第４の４の（２−甲４）（イ）で示した（相違点２）の（Ａ）成分の配合量について、甲４には、
「【００１１】
本発明の乳化組成物において、高級アルコールの含有量は、本発明の目的を奏する限り限定されないが、０．１重量％以上、好ましくは０．５重量％以上、特に好ましくは１重量％以上で含有することができ、上限は１５重量％以下、好ましくは１０重量％以下、特に好ましくは８重量％以下で含有する。」なる記載があるから、当業者であれば、甲４発明において、高級アルコールの含有量を本件特許発明の範囲とすることに何ら困難性はなく、また、甲４発明は、甲４中で「比較例」と記載されていることをもって、ただちに、甲４発明の高級アルコールの含有量を上記範囲に調整することの動機付けがないとはいえない。また、本件特許明細書に接した当業者には、本件特許発明が相違点に係る構成を有することにより何らかの新たな効果が得られるとは理解できない。」旨、主張し、本件特許発明１〜４は、甲４に記載された事項から当業者が容易に発明をすることができたものであると主張する。
＜合議体の判断＞
　しかしながら甲４発明には、水中油滴型構造を含む皮膚外用剤組成物の油滴が「球状液晶」であることなどは記載されていない（上記「第４の４の（２−甲４）（イ）」で示した（相違点１））。この点、本件特許発明の皮膚外用剤組成物は、本件特許明細書の発明の詳細な説明に「水中油滴型液晶構造の確認は、偏光顕微鏡によって行うことができる。」 との記載があるとおり（【００２５】）、「油滴が球状液晶であること」が確認できるものを本件特許発明としているものであるが、甲４には、油滴を球状液晶とする動機付けとなるような記載は見当たらない。
　確かに本件特許明細書の発明の詳細な説明には、「少なくとも、２〜１５質量％の（Ａ）成分と、０．１〜５質量％の（Ｂ）成分と、０．５〜１０質量％の（Ｃ）成分とを水に加えて撹拌すると、水中油滴型のエマルションであって、その微小な油滴の一部又は全部が球状の液晶となっているものを調製することができる。」なる記載があり、（Ａ）成分〜（Ｃ）成分の配合量が油滴を球状液晶とするのに重要な要素であることは認められるが、他方、甲４発明には、（Ａ）成分〜（Ｃ）成分以外の成分も種々含まれているところ、それらの他の成分を含む甲４発明の油滴が球状液晶であると断ずることもできない。加えて甲４発明は、甲４において効果の劣るものとして比較例に挙げられたものにすぎない。
　そうすると、そのような甲４発明について、上記「第４の４の（２−甲４）（イ）」において示した（相違点２）について、（Ａ）成分の配合量を増やして、甲４に記載も示唆もされていない、油滴を球状液晶とすることが当業者に容易に為し得たということはできない。
　そして本件特許発明の皮膚外用剤組成物は、請求項に規定される発明特定事項を備えることにより、皮膚に塗布した際にも液晶構造が維持されるという高い液晶安定性と良好な塗布感という（【０００６】〜【０００７】、実施例）、当業者に予測外の顕著な効果を奏するものである。
　したがって、本件特許発明は、甲４に記載された事項から、当業者が容易に発明をすることができたものではない。
（４）甲１発明に基づく進歩性について
　申立人は、特許異議申立書において、本件特許発明は、甲１発明との相違点は設計事項にすぎないから、進歩性を有しない旨、主張する。
　しかしながら甲１発明には、水中油滴型構造を含む皮膚外用剤組成物の油滴が「球状液晶」であることなどは記載されていない（上記「第４の４の（２−甲１）（イ）」で示した（相違点１））。この点、本件特許発明の皮膚外用剤組成物は、本件特許明細書の発明の詳細な説明に「水中油滴型液晶構造の確認は、偏光顕微鏡によって行うことができる。」 との記載があるとおり（【００２５】）、「油滴が球状液晶であること」が確認できるものを本件特許発明としているものであるが、甲１には、油滴を球状液晶とする動機付けとなるような記載は見当たらない。
　確かに本件特許明細書の発明の詳細な説明には、「少なくとも、２〜１５質量％の（Ａ）成分と、０．１〜５質量％の（Ｂ）成分と、０．５〜１０質量％の（Ｃ）成分とを水に加えて撹拌すると、水中油滴型のエマルションであって、その微小な油滴の一部又は全部が球状の液晶となっているものを調製することができる。」なる記載があり、（Ａ）成分〜（Ｃ）成分の配合量が油滴を球状液晶とするのに重要な要素であることは認められるが、他方、甲１発明には、（Ａ）成分〜（Ｃ）成分以外の成分も種々含まれているところ、それらの他の成分を含む甲１発明の油滴が球状液晶であると断ずることもできない。
　そうすると、そのような甲１発明について、上記「第４の４の（２−甲１）（イ）」において示した（相違点２）について、（Ａ）成分の配合量を増やして、甲１に記載も示唆もされていない、油滴を球状液晶とすることが当業者に容易に為し得たということはできない。
　そして本件特許発明の皮膚外用剤組成物は、請求項に規定される発明特定事項を備えることにより、皮膚に塗布した際にも液晶構造が維持されるという高い液晶安定性と良好な塗布感という（【０００６】〜【０００７】、実施例）、当業者に予測外の顕著な効果を奏するものである。
　したがって、本件特許発明は、甲１に記載された事項から、当業者が容易に発明をすることができたものではない。
（５）小括
　よって、申立人の主張する本件特許発明１〜４が特許法第２９条第２項の規定に違反してなされたものであるとする、申立理由は、理由がない。
２　サポート要件・実施可能要件について
（１）申立人の主張について
　申立人は、特許異議申立書において、「本件特許発明の解決しようとする課題は、液晶安定性の確保と、良好な塗布感の実現だが、この点について【００４８】段落には、「皮膚外用剤組成物における・・・（Ｃ）成分の含有量が０．５〜１０質量％の範囲を外れると、水中油滴型液晶構造の形成と安定性に支障を来たす他、皮膚外用剤組成物の良好な塗布感を確保できない。」なる記載があり、当該（Ｃ）成分とは、補正前の「（Ｂ）成分以外のエステル油」である。
　しかしながら、訂正前の本件特許発明１は、「直鎖脂肪酸と高級アルコールのエステル及びバチルアルコールの脂肪酸エステル」を１０質量％含むとともに、他のエステル油を任意の割合で含む構成を排除していないから、そのような補正前の（Ｃ）成分の含有量が１０質量％を超えるものは、【００４８】段落の記載どおり、上記課題を解決することができないものである。」として、本件特許発明は、特許法第３６条第６項第１号に規定する要件を満たしていない旨、主張し、同様の理由で、本件特許発明は、同法同条第４項第１号に規定する要件を満たしていない旨、主張している。
（２）合議体の判断
　しかしながら、上記「第２　訂正請求について」において述べたとおり、本件特許発明では、訂正前の請求項１の皮膚外用剤組成物から、「（ｆ）上記（Ｂ）成分以外のエステル油であって上記（Ｃ）成分以外のものを含有し、これと上記（Ｃ）成分との合計含有量が１０質量％を超える場合」を除外する訂正がなされたから、申立人がサポート要件及び実施可能要件を満たさない旨主張している対象である「補正前の（Ｃ）成分の含有量が１０質量％を超えるもの」は、本件特許発明に含まれないこととなった。
　したがって、申立人の主張する本件特許発明１〜４が特許法第３６条第６項第１号に規定する要件を満たさないものであるとする、申立理由は、理由がない。
　また、申立人の主張する本件特許発明１〜４が特許法第３６条第４項第１号に規定する要件を満たさないものであるとする、申立理由も、理由がない。
３　明確性について
（１）申立人の主張
　申立人は、特許異議申立書において、
「（ａ）「直鎖脂肪酸と高級アルコールのエステル及びバチルアルコールの脂肪酸エステルから選ばれる１種以上」の範囲が不明確であり、
（ｂ）さらに具体的には、
「【００４７】
  以上の内、より好ましいものは直鎖脂肪酸と高級アルコールのエステル及びバチルアルコールの脂肪酸エステルから選ばれる１種以上であり、特に好ましいものはミリスチン酸ミリスチル、パルミチン酸セチル、モノステアリン酸バチル、ミリスチン酸オクチルドデシル、イソノナン酸イソノニル、ステアリン酸ステアリル及びオレイン酸デシルから選ばれる１種以上であり、とりわけ好ましいものはミリスチン酸ミリスチル、パルミチン酸セチル、モノステアリン酸バチル及びミリスチン酸オクチルドデシルから選ばれる１種以上である。」
なる記載があり、（Ｃ）成分の具体例としての好ましいものが「直鎖脂肪酸と高級アルコールのエステル等」であることが記載されており、その中でも好ましい成分として「イソノナン酸イソノニル」が記載されているが、当該「イソノナン酸イソノニル」は分岐脂肪酸のエステルであって、「直鎖脂肪酸と高級アルコールのエステル等」に該当しないから、【００４７】の（Ｃ）成分を特定する記載に不整合があるから、請求項における（Ｃ）成分の定義及び範囲も不明確である」旨、主張する。
（２）合議体の判断
　しかしながら、
（ｂ）イソノナン酸イソノニルは、「直鎖脂肪酸と高級アルコールのエステル」にも「バチルアルコールの脂肪酸エステル」にも該当しないから、（Ｃ）成分の「直鎖脂肪酸と高級アルコールのエステル及びバチルアルコールの脂肪酸エステル」に含まれないことが明確であり、また、
（ａ）本件特許発明の（Ｃ）成分に係る「直鎖脂肪酸と高級アルコールのエステル及びバチルアルコールの脂肪酸エステル」は、直鎖脂肪酸と高級アルコールがエステル結合した化合物と、バチルアルコールと脂肪酸がエステル結合した化合物を、それぞれ意味していることが明確であるから、請求項における（Ｃ）成分は明確である。
　したがって、申立人の主張する本件特許発明１〜４が特許法第３６条第６項第２号に規定する要件を満たさないものであるとする、申立理由は、理由がない。
第６　むすび
　以上のとおりであるから、取消理由通知に記載した取消理由及び特許異議申立書に記載した特許異議申立理由によっては、本件請求項１〜４に係る特許を取り消すことはできない。
　また、他に本件請求項１〜４に係る特許を取り消すべき理由を発見しない。
　よって、特許法第１１４条第４項の規定により、本件請求項１〜４に係る特許について、結論のとおり決定する。
【異議決定日】
令和１年９月３０日（２０１９．９．３０）
【訂正の要旨】
審決（決定）の【理由】欄参照。
（５７）【特許請求の範囲】
　【請求項１】　下記（Ａ）成分〜（Ｃ）成分を必須成分として構成される、油滴が球状液晶である水中油滴型液晶構造を含むことを特徴とする皮膚外用剤組成物（但し、下記（ａ）、（ｄ）、（ｅ）のいずれか１以上の成分を含有するものを
除き、更に下記（ｆ）に該当する場合を
　（Ａ）常温で固体の高級アルコールの１種以上　
６
　（Ｂ）グリセリン脂肪酸エステルの１種以上　０．１〜５質量％
　（Ｃ）直鎖脂肪酸と高級アルコールのエステル及びバチルアルコールの脂肪酸エステルから選ばれる１種以上　０．５〜１０質量％
　（ａ）ミツロウ
　（ｄ）ポリビニルアルコール
　（ｅ）カルニチン、その誘導体及びそれらの塩より選択される１種以上
　
（ｆ）上記（Ｂ）成分以外のエステル油であって上記（Ｃ）成分以外のものを含有し、これと上記（Ｃ）成分との合計含有量が１０質量％を超える場合
　【請求項２】　前記（Ｂ）成分の含有量に対する前記（Ａ）成分と（Ｃ）成分の合計含有量の質量比（（Ａ）＋（Ｃ））／（Ｂ）が２〜３０の範囲内であることを特徴とする請求項１に記載の皮膚外用剤組成物。
　【請求項３】　前記（Ｃ）成分がミリスチン酸ミリスチル、パルミチン酸セチル、ステアリン酸バチル及びミリスチン酸オクチルドデシルから選ばれる１種以上であることを特徴とする請求項１又は請求項２に記載の皮膚外用剤組成物。
　【請求項４】　前記皮膚外用剤組成物が、更に水溶性高分子の１種以上を含有することを特徴とする請求項１〜請求項３のいずれかに記載の皮膚外用剤組成物。